(57)【要約】      （修正有）【課題】迷光成分の発生を抑制して、分光精度を向上させることが可能な分光装置を提供する。【解決手段】照射された光を、複数の第１の開口１１ａを介して透過させる第１の開口列１１と、第１の開口列の各第１の開口を透過する光束の光路にそれぞれ設けられる複数のレンズ開口１３ａを備えた結像調整部１３とを有する。そして、第１の開口列と結像調整部との間に中間開口列１２を設ける。中間開口列は、第１の開口列の各第１の開口を介して照射された光束を、対応する各中間開口１２ａを介して、結像調整部の、対応する各レンズ開口に入射させる。回折部１４は、各レンズ開口を透過した各光束を、複数の次数の回折光に分光して出射する。中間開口列により、例えば第１の開口列のエッジ部分から発生した回折光などの迷光成分を抑制でき、分光装置の高精度化を図ることができる。【選択図】図２
2020008292.tif 000002
【特許請求の範囲】
【請求項１】
照射された光を、複数の第１の開口を介して透過させる第１の開口列と、
前記第１の開口列の各前記第１の開口を透過する光束の光路にそれぞれ設けられる複数のレンズ開口を備えた結像調整部と、
前記第１の開口列と前記結像調整部との間に設けられ、前記第１の開口列の各前記第１の開口を介して照射された光束を、対応する各中間開口を介して、前記結像調整部の、対応する各前記レンズ開口に入射させる中間開口列と、
各前記レンズ開口を透過した各光束を、複数の次数の回折光に分光する回折部と
を有する分光装置。
【請求項２】
前記回折部により分光された各次数の回析光のうち、所定次数の回析光を選択的に受光して分光特性情報を形成する撮像素子を、さらに備えること
を特徴とする請求項１に記載の分光装置。
【請求項３】
前記第１の開口列と前記中間開口列との間の距離「ｄ１」と、前記中間開口列と前記結像調整部との間の距離「ｄ２」の比が、「ｄ１：ｄ２＝１：（ｎ＋０．５）（ｎは自然数）」であること
を特徴とする請求項１又は請求項２に記載の分光装置。
【請求項４】
前記中間開口列の各中間開口は、前記第１の開口列の各前記第１の開口の配列方向の長さよりも、前記配列方向に二次元的に直交する方向の長さを長くした長穴形状を有すること
を特徴とする請求項１から請求項３のうち、いずれか一項に記載の分光装置。
【請求項５】
請求項２から請求項４のうち、いずれか一項に記載の分光装置と、
少なくとも被測定物を搬送する搬送装置と、
前記被測定物を照明する照明装置と、
前記搬送装置で搬送される前記被測定物を照明するように照明装置を制御すると共に、前記被測定物の所望の搬送位置で前記分光装置から、前記被測定物に対する所定の評価を行うための分光特性情報を取得する制御装置と
を有する評価装置。
【請求項６】
請求項２から請求項４のうち、いずれか一項に記載の分光装置と、
印刷媒体に印刷を行う印刷機能と、
印刷後の印刷媒体を搬送する搬送装置と、
前記印刷媒体を照明する照明装置と、
前記照明装置で照明された前記印刷媒体の所望の搬送位置で、前記分光装置から取得した前記印刷媒体の分光特性情報に基づいて、前記印刷装置の印刷プロセスを調整制御する制御装置と
を有する印刷装置。
【発明の詳細な説明】
【技術分野】
【０００１】
本発明は、分光装置、評価装置及び印刷装置に関する。
【背景技術】
【０００２】
今日において、例えば対象物の色を正確に測定する分光測色計などで利用される分光センサが知られている。また、例えば画像測色装置として用いられる、複数の分光センサの機能を１つのモジュールに集約した分光センサアレイが知られている。分光センサアレイは、例えば印刷物上の複数位置の色を並列で測定することで、高速に画像全体を測色可能となっている。
【０００３】
また、特許文献１（米国特許第７０５７７２３号公報）には、分光センサアレイの一例が開示されている。特許文献１に開示されている分光センサアレイは、スリット状の開口列と、セルフォック（登録商標）レンズアレイ等の結像素子、複数の回折格子が並んだ回折素子及び受光素子アレイを有している。そして、各開口を介した光束が、結像素子で結像すると共に、回折素子により斜め方向に回折される。これにより、受光素子アレイの異なる部分に回折像が形成される。このような特許文献１に開示されている分光センサアレイの場合、例えば＋１次回折光のみを受光することができ、複数の回折像を１列の受光素子アレイで受光できる。
【発明の概要】
【発明が解決しようとする課題】
【０００４】
しかし、特許文献１に開示されている分光センサアレイの場合、結像素子の開口数を超える斜めの光束が、各スリット状開口を介して結像素子に入射すると、結像素子内部における多重反射により迷光が発生する。この迷光が受光素子アレイに入射すると、いわゆるクロストークを発生し、分光精度が悪化する不都合を生ずる。
【０００５】
本発明は、上述の課題に鑑みてなされたものであり、迷光の発生を抑制して、分光精度を向上させることが可能とした分光装置、評価装置及び印刷装置の提供を目的とする。
【課題を解決するための手段】
【０００６】
上述した課題を解決し、目的を達成するために、本発明は、照射された光を、複数の第１の開口を介して透過させる第１の開口列と、第１の開口列の各第１の開口を透過する光束の光路にそれぞれ設けられる複数のレンズ開口を備えた結像調整部と、第１の開口列と結像調整部との間に設けられ、第１の開口列の各第１の開口を介して照射された光束を、対応する各中間開口を介して、結像調整部の、対応する各レンズ開口に入射させる中間開口列と、各レンズ開口を透過した各光束を、複数の次数の回折光に分光する回折部とを有する。
【発明の効果】
【０００７】
本発明によれば、迷光の発生を抑制して、分光精度を向上させることができるという効果を奏する。
【図面の簡単な説明】
【０００８】
【図１】図１は、第１の実施の形態の分光装置の概略的な構成を示す斜視図である。
【図２】図２は、第１実施の形態の分光装置に設けられている分光撮像モジュールを光軸方向に沿って切断した状態の断面図である。
【図３】図３は、撮像素子と回折像の関係を説明するための図である。
【図４】図４は、第１の実施の形態の分光装置に設けられている分光撮像モジュール１０のピンホールアレイ、中間開口アレイ及びレンズアレイの位置関係を説明するための図である。
【図５】図５は、図５（ａ）に中間開口アレイ１２を設けていない分光撮像モジュールの光軸方向に沿った断面図を示す。
【図６】図６は、実施の形態の分光装置における中間開口アレイの機能を説明するための図である。
【図７】図７は、分光装置の初段の入射口として設けられる光入射アレイの開口形状を、長方形状（スリット状）とした際に発生する問題点を説明するための図である。
【図８】図８は、比較例となる分光撮像モジュールの断面図である。
【図９】図９は、第２の実施の形態の分光装置の機能を説明するための断面図である。
【図１０】図１０は、第３の実施の形態の分光装置に設けられている中間開口アレイを説明するための図である。
【図１１】図１１は、第４の実施の形態の評価装置の概略的な斜視図である。
【図１２】図１２は、第５の実施の形態の印刷装置の概略的な断面図である。
【発明を実施するための形態】
【０００９】
以下、実施の形態の分光装置、評価装置及び印刷装置の説明をする。
【００１０】
（第１の実施の形態）
図１は、第１の実施の形態の分光装置の概略的な構成を示す斜視図である。この図１において、印刷物等の被測定物１は、ｚ軸に対して３次元的に直交するｙ軸方向の平面状に支持されている。ライン照明２は、被測定物１の表面を、ｙ軸方向に対して２次元的に直交するｘ軸方向に沿ったライン状の測定範囲１ａを照明する。第１の実施の形態の分光装置が、例えば分光特性により正確な色を測定する分光測色センサの場合、ライン照明２としては、可視光の波長域のみが発光する白色ＬＥＤ（Light  Emitting  Diode）などを用いることができる。
【００１１】
定範囲で照明された被測定物１の表面からの拡散反射光束は、縮小結像レンズ３を介して、分光結像モジュール１０の受光面に結像する。被測定物１をｙ軸方向に搬送しつつ、分光撮像モジュール１０で周期的に撮像信号を取得することで、被測定物１の複数位置での分光測定を行う。
【００１２】
（分光撮像モジュールの構成及び機能）
図２は、分光撮像モジュール１０を光軸方向に沿って切断した状態の断面図である。この図２に示すように分光撮像モジュール１０は、光の入射側（ｚ軸方向）から順に、ピンホールアレイ１１（第１の開口列の一例）、中間開口アレイ１２（中間開口列の一例）、レンズアレイ１３（結像調整部の一例）、回折素子１４（回折部の一例）、及び撮像装置１５（撮像素子の一例）を積層して形成されている。
【００１３】
ピンホールアレイ１１は、遮光マスク上に複数の微小な開口１１ａがｘ軸方向に沿って設けられている。ピンホールアレイ１１は、縮小結像レンズ３から入射した光束の一部を各開口１１ａを介して透過させる。中間開口アレイ１２は、遮光マスク上に複数の中間開口１２ａがｘ軸方向に沿って設けられている。ピンホールアレイ１１の各開口１１ａからの各光束は、それぞれ対応する中間開口１２ａを透過するようになっている。
【００１４】
レンズアレイ１３は、複数の結像レンズ（例えば対物レンズ）１３ａがｘ軸方向に沿って設けられている。レンズアレイ１３の結像レンズ以外の部分は遮光処理が施されている。各中間開口１２ａを透過した各光束は、それぞれ対応する結像レンズ１３ａを介して出射される。
【００１５】
回折素子１４は、レンズアレイ１３の各結像レンズ１３ａを介した各光束を回折処理して、例えば０次回折光、１次回折光及び２次回折光等のように分光し、回折像を撮像装置１５に結像する。撮像装置１５は、各画素となる各受光素子がｘ軸方向に沿って設けられており、入射した光束に対応する電気信号である撮像信号に変換して出力する。この撮像信号は、分光特性情報として例えばパーソナルコンピュータ装置等の情報処理装置に供給されて分析され、所定の機器制御等に用いられる。
【００１６】
なお、図２に示す例では、分光撮像モジュール１０は、ピンホールアレイ１１及び中間開口アレイ１２は、それぞれ５つの開口１１ａ又は中間開口１２ａを有し、レンズアレイ１３は５つの結像レンズ１３ａを有することとした。しかし、開口１１ａ、中間開口１２ａ及び結像レンズ１３ａは、設計等に応じた数を設ければよい。
【００１７】
（撮像装置と回折像の関係）
次に、図３を用いて、撮像装置１５と回折像の関係を説明する。第１の実施の形態の分光装置の場合、回折素子１４の回折軸方向がｘ軸方向に対して所定の傾き角を有するように、回折素子１４が設けられている。このため、図３中、○で示す０次回折光の回折像、図３中、楕円形状の回折像で示す１次回折光の回折像、及び、図３中、長楕円形状の回折像で示す２次回折光の回折像からわかるように、同じ次数の回折像同士は、ｘ軸方向に沿って整列した状態で、所定の傾き角を持って撮像装置１５に照射される。
【００１８】
撮像装置１５は、ｘ軸方向に沿って列状に設けられた複数の受光素子を有する。また、各受光素子１５ａは、それぞれ図３に示すように、ｘ軸方向の長さよりも、ｙ軸方向の長さの方が長くなるように形成されている。なお、図３の例では、各受光素子１５ａは長方形状として図示しているが、ｙ軸方向に長い楕円形状等でもよい。撮像装置１５は、このような受光素子１５ａで、上述のように所定の角度を持って入射される１次回折光の解析像を選択的に受光する。なお、撮像装置１５は、他の次数の回折像を受光してもよい。
【００１９】
（各アレイの対応関係）
図４は、分光撮像モジュール１０に、光軸方向に沿って順に設けられているピンホールアレイ１１、中間開口アレイ１２及びレンズアレイ１３を展開して示した図である。この図４からわかるように、ピンホールアレイ１１の各開口１１ａ、中間開口アレイ１２の中間開口１２ａ及びレンズアレイ１３の結像レンズ１３ａは、それぞれ同じ間隔となるように設けられている。また、ピンホールアレイ１１、中間開口アレイ１２及びレンズアレイ１３は、各開口１１ａ、各中間開口１２ａ及び各結像レンズ１３ａがそれぞれ同軸となるように、分光撮像モジュール１０に設けられている。
【００２０】
また、中間開口１２ａのサイズは、面間距離とレンズアレイ１３の開口サイズから幾何学的に設定されている。例えば、ピンホールアレイ１１と中間開口アレイ１２の距離ｄ１（図２参照）と、中間開口アレイ１２とレンズアレイ１３との間の距離ｄ２（図２参照）との比が２：３で、レンズアレイ１３の結像レンズ１３ａの開口サイズが直径０．４ｍｍであるとすると、中間開口のサイズは直径０．１６ｍｍに設定される。
【００２１】
（中間開口アレイが設けられていない分光撮像モジュールの分光動作）
ここで、図５に中間開口アレイ１２を設けていない分光撮像モジュールを、光軸方向に沿って切断した状態の断面図を示す。この図５において、分光撮像モジュールは、ピンホールアレイ５１、レンズアレイ５３、回折素子５４及び撮像素子１５を、光軸方向に沿って順に積層して形成されている。
【００２２】
この図５において、ピンホールアレイ５１の開口に斜め方向から入射する「迷光」は、矢印が示すように、ピンホールアレイ５１の開口を介した光束が、本来、入射すべきレンズアレイ５３の結像レンズ以外の結像レンズに入射される。そして、この迷光は、回折素子５４で回折された後、撮像装置１５の別の場所に不要な回折像を結ぶ。すなわち、上述の迷光は、撮像装置１５の周辺画素に入射することでノイズ成分となり、いわゆるクロストークの要因となる。
【００２３】
（中間開口アレイの機能）
これに対して、第１の実施の形態の分光装置は、図６に示すように中間開口アレイ１３が設けられている。このため、図６中、矢印で示すように、ピンホールアレイ１１の開口に斜め方向から光が入射して迷光が発生した場合でも、迷光の大部分は、中間開口アレイ１３により遮光される。これにより、撮像装置１５に対して入射する迷光を低減でき、検出すべき信号を精度良く検出できる。
【００２４】
（スリット状の入射口の問題点）
次に、上述のピンホールアレイ１１等の分光装置に対する光の入射口となる光入射アレイの開口形状を、長方形状（スリット状）とすることを考える。図７は、スリット状の開口２１ａを有する光入射アレイ２１の後段に、上述の中間開口１２及びレンズアレイ１３を設けた分光装置を示している。
【００２５】
この場合、図７に示すように、スリット状の開口２１ａを介して入射した光束の一部が、中間開口アレイ１２の中間開口１２ａにより遮光される不都合を生ずる。すなわち、スリット状の開口２１ａは、一定の幅を有する。このため、図７に斜線で示すように、中間開口が設けられていない場合はレンズアレイ１３の結像レンズに到達するはずの光束が、中間開口で部分的に遮光され、結像レンズ１３ａを透過する光の光量が減少する。
【００２６】
すなわち、開口２１ａをスリット状とすると、このスリット状の開口２１ａの中央を透過する光の光量に比べて、開口２１ａの端部を透過する光の光量が減少し、回折像の一部の波長域の信号が減少する。これにより、撮像装置１５から得られる撮像信号の信号品質が劣化し、分光測定精度を悪化させる問題を生ずる。
【００２７】
（テレセントリック特性による機能）
これに対して、第１の実施の形態の分光装置は、ピンホールアレイ１１の各開口１１ａと、これに対応する中間開口アレイ１２の各中間開口１２ａ及びレンズアレイ１３の各結像レンズ１３ａが、それぞれ光軸と並行に配列するように設けられている。また、結像レンズ１３ａは、少なくとも像側テレセントリック特性を有するように設けられている。一例ではあるが、結像レンズ１３ａは、像側開口数が、レンズアレイ１３の物体側開口数と同じとなるように形成されている。
【００２８】
これにより、迷光の発生を抑止し、ピンホールアレイ１１の各開口１１ａ透過した光束の一部を、中間開口１２ａで略々遮光することなく、レンズアレイ１３の各結像レンズ１３に効率よく入射させることができる。
【００２９】
さらに、例えば倍率の異なる複数の結像レンズ１３が像側テレセントリック特性を有していれば、分光撮像モジュール１０を、様々な用途又は機器に対して、応用的に用いることができる。
【００３０】
（一体化形成）
次に、第１の実施の形態の分光装置の場合、分光撮像モジュール１０のピンホールアレイ１１、中間開口アレイ１２、レンズアレイ１３、回折素子１４及び撮像装置１５が、一体的に形成されている。具体的には、図２に示すようにでは第１の基板２１の入射面にピンホールアレイ１１を形成し、第２の基板２２の入射面に中間開口アレイ１２を形成する。また、第２の基板２２の出射面には、レンズアレイ１３を形成し、第１の基板２１の出射面と第２の基板２２の入射面を接着する。
【００３１】
また、所定のスペーサを介してレンズアレイ１３及び回折素子１４接着し、回折素子１４と撮像装置１５を接着する。これにより、分光撮像モジュール１０全体を一体的に形成することができる。このように、分光撮像モジュール１０全体を一体的に形成することで、振動又は温度変化等の環境変動による、回折像と撮像装置１５との相対的な位置ずれを低減でき、位置ずれに起因する誤差を減少させることができる。
【００３２】
さらに、第１の実施の形態の分光装置の場合、第１の基板２１と第２の基板２２は、屈折率が同じものを用いている。また、第１の基板２１と第２の基板２２を接着する接着剤としては、第１の基板２１及び第２の基板２２の屈折率と同じ又は近い屈折率の接着剤を用いている。これにより、中間開口アレイ１２での界面の屈折率変化による反射率を減少させて、透過率を向上させることができる。また、多重反射による迷光の発生を低減できると共に、透過率の向上から光利用効率を向上させることができる。
【００３３】
（第１の実施の形態の効果）
以上の説明から明らかなように、第１の実施の形態の分光装置は、ピンホールアレイ１１とレンズアレイ１３との間に、中間開口アレイ１２を設ける。これにより、撮像装置１５に対して入射する迷光を低減でき、検出すべき信号の検出精度を向上させることができる。
【００３４】
また、像側開口数と物体側開口数とが同じとなるように形成した、像側テレセントリック特性を有するレンズアレイ１３を設けることで、ピンホールアレイ１１の各開口１１ａを透過した光束を、レンズアレイ１３の各結像レンズ１３ａに効率よく入射させることができる。また、レンズアレイ１３の各結像レンズ１３ａで、光束の一部が遮光される不都合も防止できる。このため、十分な光量に基づいて、分光処理を行うことができ、また、分光処理された被写体像のうち、所望の次数の被写体像の撮像を可能とすることができる。
【００３５】
（第２の実施の形態）
次に、第２の実施の形態の分光装置の説明をする。まず、図８は、ピンホールアレイ１１から中間開口アレイ１２までの距離ｄ１と、中間開口アレイ１２からレンズアレイ１３までの距離ｄ２とが、１：１の比率となるように形成された分光撮像モジュール１０の断面図を示している。
【００３６】
この分光撮像モジュール１０において、図８に矢印で示すように、斜め方向からピンホールアレイ１１の開口１１ａを介した迷光が、本来、入射すべき中間開口１２ａに隣接する中間開口１２ａに入射したとする。また、隣接する中間開口１２ａを透過した迷光成分が、本来、入射すべき結像レンズ１３ａから２つ離れた結像レンズ１３ａを透過したとする。この場合、撮像装置１５の、本来、入射される受光素子に近接する受光素子に迷光が入射してノイズ成分となり、分光精度の低下の原因となる。これは、上述の距離ｄ１と距離ｄ２との比が、整数倍のときに顕著に発生する。
【００３７】
このようなことから、第２の実施の形態の分光装置では、図９に示すように、ピンホールアレイ１１から中間開口アレイ１２までの距離ｄ１と、中間開口アレイ１２からレンズアレイ１３までの距離ｄ２とが、整数倍以外の比率である、例えば「１：１．５」の比率となるように分光撮像モジュール１０を形成している。
【００３８】
この比率としては、例えば１：ｎ＋０．５（ｎは正の整数）の関係が成り立つように、上述の距離ｄ１と距離ｄ２を設定すればよい。
【００３９】
このように、上述の距離ｄ１と距離ｄ２との比率を、整数倍以外の比率とすることで、ピンホールアレイ１１上の開口１１ａから斜め方向に入射した迷光は、本来、入射すべき中間開口１２ａに隣接する中間開口１２ａを介して、レンズアレイ１３の各結像レンズ１３ａの間の領域である遮光領域１３ｂで遮光される。図９の例は、本来、入射すべき結像レンズ１３ａから２つの結像レンズ１３ａと３つ目の結像レンズ１３ａとの間の遮光領域１３ｂで迷光が遮光されている様子を示している。
【００４０】
このように上述の距離ｄ１と距離ｄ２との比率を整数倍以外の比率とすることで、ピンホールアレイ１１を透過したほとんどの迷光を、レンズアレイ１３の遮光領域１３ｂで遮光することができる。従って、迷光を低減させることができるため、分光装置の分光精度を向上させることができる。このような効果は、上述の距離ｄ１と距離ｄ２との比率により、多少異なるが、実質的に０．５±０．２、つまり０．３〜０．７の範囲で調整することが好ましい。
【００４１】
なお、上述の距離ｄ１と距離ｄ２との比率を整数倍以外の比率とした場合でも、レンズアレイ１３の遮光領域１３ｂで遮光困難となる迷光も存在する。しかし、このような迷光は、光量も極めて少ないため、撮像装置１５に入射しても、それほど分光精度に悪影響を与えることはない。
【００４２】
（第３の実施の形態）
次に、第３の実施の形態となる分光装置の説明をする。上述の第１の実施の形態では、図４に示したように、中間開口アレイ１２の中間開口１２ａの形状を丸孔形状とした。これに対して、第３の実施の形態の分光装置は、図１０に示すように中間開口アレイ１２の中間開口の形状が、長手方向がｙ軸方向とされた長方形状のスリットに加工されている（中間開口１２ｂ）。
【００４３】
換言すると、中間開口アレイ１２の各中間開口（中間開口１２ｂ）は、ピンホールアレイ１１の各開口１１ａの配列方向の長さよりも、この配列方向に二次元的に直交する方向の長さを長くした長穴形状に加工されている。
【００４４】
なお、長方形状の代りに、長手方向がｙ軸方向とされた楕円形状、三角形状又は多角形形状等のスリットに、中間開口の形状を加工してもよい。
【００４５】
ｙ軸方向は、レンズアレイ１３の各結像レンズ１３ａの並列方向とは異なる方向であるため、中間開口１２ｂをスリット状としても、例えばレンズアレイ１３の遮光領域１３ｂの拡大等の特別な加工は不要である。そして、中間開口１２ｂをスリット状とした場合でも、上述の第２の実施の形態で説明したように、各結像レンズ１３ａの並列方向の遮光領域１３ｂで、迷光を遮光できる。
【００４６】
ここで、第１の実施例ではピンホールアレイ１１の各開口１１ａ、中間開口アレイ１２の中間開口１２ａ及びレンズアレイ１３の各結像レンズ１３を、それぞれ光軸方向に沿って順に整列させる必要がある。そして、接着時にはｘ軸、ｙ軸、ｚ軸周りの回転軸方向の３自由度で精密な位置調整が必要となる。そして、配列する分光撮像モジュールを増やすと、位置調整の精度要求も高くなり、分光装置の製造が困難となる。
【００４７】
しかし、この第３の実施の形態のように、中間開口の形状をスリット状とすることで（中間開口１２ｂ）、中間開口１２ｂのｙ軸方向及びｚ軸周りの回転方向の位置決めの要求精度を大きく緩和することができる。このため、第３の実施の形態の分光装置は、上述の各実施の形態で得られる効果の他、分光装置の製造を容易化することができる。
【００４８】
（第４の実施の形態）
次に、第４の実施の形態として、上述の各実施の形態の分光装置を備えた評価装置の説明をする。図１１が、この第４の実施の形態の評価装置の概略的な斜視図である。この図４において、制御装置３２は、ライン照明２を制御して測定範囲１ａを照明しつつ、搬送装置３１を制御して被測定物１を一定の速度で搬送制御する。また、制御装置３２は、分光撮像モジュール１０を制御して、被測定物１の搬送制御に連動して定期的に、被測定物１に対する所定の評価を行うための分光特性情報を取得する（所望の位置の分光特性を取得する）。これにより、被測定物１の複数点の分光測定が順次実行される。
【００４９】
このような第４の実施の形態の評価装置は、被測定物１を搬送させることで、被測定物１の任意の位置における、例えば正確な色情報等の分光特性情報を取得することができる。取得した分光特性情報を、所定の値と比較することで、簡易かつ高精度に被測定物１を評価できる他、上述の各実施の形態と同様の効果を得ることができる。
【００５０】
（第５の実施の形態）
次に、第５の実施の形態の印刷装置の説明をする。図１２は、第５の実施の形態の印刷装置の断面図である。この図１２に示すように、第５の実施の形態の印刷装置１００は、第４の実施の形態で説明した評価装置４０を備えている。
【００５１】
また、印刷装置１００は、評価装置４０の他、給紙カセット１０１ａ及び１０１ｂ、給紙ローラ１０２、コントローラ１０３、走査光学系１０４、感光体１０５、中間転写体１０６、定着ローラ１０７及び排紙ローラ１０８を備えている。一例ではあるが、印刷装置１００は、例えば電子写真方式のフルカラー画像形成装置である。なお、印刷装置１００は、インクジェット方式のフルカラー画像形成装置でもよい。
【００５２】
画像形成装置１００において、給紙カセット１０１ａ及び１０１ｂからガイド、給紙ローラ１０２により搬送された印刷用紙２００が、走査光学系１０４により感光体１０５に露光され、色材が付与されて現像される。現像された画像は、中間転写体１０６上に、次いで、中間転写体１０６から印刷用紙２００上に転写される。印刷用紙２００上に転写された画像は、定着ローラ１０７により印刷用紙２００に定着される。画像が定着された印刷用紙２００は、排紙ローラ１０８により、排紙トレイ等に排紙される。
【００５３】
評価装置４０は、定着ローラ１０７の後段に設置されている。評価装置４０は、図１１に示したライン照明２、縮小結像レンズ３、分光撮像モジュール１０及び制御装置３２を備える。評価装置４０は、印刷装置１００における印刷用紙２００の搬送に連動し、制御装置３２がライン照明２及び分光撮像モジュール１０を制御して、印刷用紙２００上の複数点の分光特性情報を取得する。制御装置３２は、取得した分光特性情報に基づいて、印刷装置１００の印刷プロセスを調整制御する。
【００５４】
このような第５の実施の形態の印刷装置は、上述の各実施の形態の効果の他、画像形成後の印刷用紙２００（印刷後の画像）をインラインで測定し、測定結果に基づいて印刷プロセスの調整制御を行うことができる。すなわち、分光特性取得機能を備えた評価装置４０を印刷装置１００に設けることで、印刷後の画像の任意の位置の分光特性を取得して、印刷プロセスの調整制御を行うことができる。
【００５５】
また、取得した分光特性情報に基づいて、三刺激値ＸＹＺ又はＣＩＥ（Commission  internationale  de  l'eclairage）により規定されたＬＡＢ色空間（ＣＩＥＬＡＢ）等の測色結果を算出することもできる。従って、任意の画像の測色結果を用いて印刷プロセスを監視し、印刷色が想定される色からずれた場合に、制御装置３２が通知部を介して操作者に所定の通知（音声、メッセージ等）を行い、印刷を中断し、又は、印刷プロセスの変化を相殺するように印刷プロセスを調整制御するこが可能となる。従って、より正確な色の画像を安定して生産可能とすることができる。
【００５６】
最後に、上述の各実施の形態は、一例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。また、実施の形態及び実施の形態の変形は、発明の範囲や要旨に含まれると共に、特許請求の範囲に記載された発明とその均等の範囲に含まれるものである。
【符号の説明】
【００５７】
１  被測定物
２  ライン照明
３  縮小結像レンズ
１０  分光撮像モジュール
１１  ピンホールアレイ
１２  中間開口アレイ
１２ａ  丸孔形状の中間開口
１２ｂ  長穴形状の中間開口
１３  レンズアレイ
１３ａ  結像レンズ
１３ｂ  遮光領域
１４  回折素子
１５  撮像素子
１５ａ  受光素子
２１ａ  スリット状の開口
３２  制御装置
４０  評価装置
【先行技術文献】
【特許文献】
【００５８】
【特許文献１】米国特許第７０５７７２３号公報
【特許文献２】特許第４９８５０６１号公報
【図１】
2020008292.tif 000003
【図２】
2020008292.tif 000004
【図３】
2020008292.tif 000005
【図４】
2020008292.tif 000006
【図５】
2020008292.tif 000007
【図６】
2020008292.tif 000008
【図７】
2020008292.tif 000009
【図８】
2020008292.tif 000010
【図９】
2020008292.tif 000011
【図１０】
2020008292.tif 000012
【図１１】
2020008292.tif 000013
【図１２】
2020008292.tif 000014